(57)【要約】【課題】本発明は、現像処理液の付着した感光材料を圧着搬送する搬送ローラ対を全周に亘って確実に洗浄することができる現像処理装置を提供することを課題とする。【解決手段】現像処理液に浸漬して引き上げたシート状の感光材料を圧着搬送する搬送ローラ対を備えるとともに、該搬送ローラ対を洗浄すべく、搬送ローラ対に向けて洗浄液を吐出する洗浄液供給手段を備えた現像処理装置であって、前記搬送ローラ対は、互いに圧接した圧接状態と、互いに離間した非圧接状態とに切り替え可能に構成され、前記洗浄液供給手段は、少なくとも搬送ローラ対が前記非圧接状態であるときに、洗浄液を吐出させるように構成されてなることを特徴とする。【選択図】          図２
2005031318.tif 000002
【特許請求の範囲】
【請求項１】
現像処理液に浸漬して引き上げたシート状の感光材料を圧着搬送する搬送ローラ対を備えるとともに、該搬送ローラ対を洗浄すべく、搬送ローラ対に向けて洗浄液を吐出する洗浄液供給手段を備えた現像処理装置であって、前記搬送ローラ対は、互いに圧接した圧接状態と、互いに離間した非圧接状態とに切り替え可能に構成され、前記洗浄液供給手段は、少なくとも搬送ローラ対が前記非圧接状態であるときに、洗浄液を吐出させるように構成されてなることを特徴とする現像処理装置。
【発明の詳細な説明】
【０００１】
【発明の属する技術分野】
本発明は、フィルムや感光紙等のシート状の感光材料を現像処理する現像処理装置に関する。
【０００２】
【従来の技術】
従来から、フィルムや感光紙等のシート状の感光材料を現像処理する現像処理装置として、感光材料を現像処理液に浸漬して現像する現像処理部と、現像処理部から搬送されてくる感光材料を乾燥処理する乾燥処理部とを備えたものが知られている。
【０００３】
前記現像処理部は、現像処理液を貯留する複数の現像処理液槽を備えるとともに、各現像処理液槽内の現像処理液に対して浸漬、及び引き上げが行われるように感光材料を搬送し、前記乾燥処理部に感光材料を送り出すように構成された搬送系を備えている。
【０００４】
前記複数の現像処理液槽は、横並びに配設されて異なる種類の現像処理液が貯留されている。前記搬送系は、各現像処理液槽の現像処理液内で感光材料を搬送する液内搬送系と、該液内搬送系によって現像処理液槽内の現像処理液から引き上げられて搬送されてくる感光材料を受け取り、隣設された現像処理液槽、又は乾燥処理部に向けて搬送する液外搬送系とを備えている。前記液内搬送系、及び液外搬送系は、何れも複数の搬送ローラ対で構成されており、各搬送ローラ対は、感光材料を圧着搬送できるように構成されている。
【０００５】
ところで、前記液外搬送系を構成する搬送ローラ対は、液外に配設されているため、現像処理を行わないときに、現像処理液の付着した感光材料を圧着搬送することで圧着面（外周面）に付着した現像処理液の水分が蒸発し、該液外搬送系の搬送ローラ対の外周面に現像処理液の成分が結晶化してしまい、次の感光材料の搬送に悪影響を及ぼすといった問題がある。
【０００６】
そこで、液外搬送系を構成する搬送ローラ対を洗浄すべく、前記現像処理装置には、洗浄液を搬送ローラ対に向けて吐出する洗浄液供給手段が設けらたものがあり、洗浄液吐出手段によって吐出された洗浄液で搬送ローラ対の外周面を洗い流すようにしている（例えば、特許文献１参照）。
【０００７】
【特許文献１】
特開平６―３０８７００号公報
【０００８】
【発明が解決しようとする課題】
ところで、搬送ローラ対は、上述の如く、感光材料を圧着搬送できるように構成されているため、現像処理を行わないときには、搬送ローラ対間に感光材料が介在せずに互いに圧接した状態となっている。
【０００９】
そうすると、上述の如く、洗浄水を搬送ローラ対にかけても、搬送ローラ同士の圧接部分に洗浄水が流れ込まないため、該圧接部分に付着した現像処理液を確実に洗い流すことができず、搬送ローラを全周に亘って洗浄することができなかった。
【００１０】
そこで、本発明は、斯かる実情に鑑み、現像処理液の付着した感光材料を圧着搬送する搬送ローラ対を全周に亘って確実に洗浄することができる現像処理装置を提供することを課題とする。
【００１１】
【課題を解決するための手段】
本発明にかかる現像処理装置は、上記課題を解決すべくなされたものであり、請求項１記載の如く、現像処理液に浸漬して引き上げたシート状の感光材料を圧着搬送する搬送ローラ対を備えるとともに、該搬送ローラ対を洗浄すべく、搬送ローラ対に向けて洗浄液を吐出する洗浄液供給手段を備えた現像処理装置であって、前記搬送ローラ対は、互いに圧接した圧接状態と、互いに離間した非圧接状態とに切り替え可能に構成され、前記洗浄液供給手段は、少なくとも搬送ローラ対が前記非圧接状態であるときに、洗浄液を吐出させるように構成されてなることを特徴とする。なお、ここで搬送ローラ対とは、一対の搬送ローラを意味するものである。
【００１２】
上記構成の現像処理装置によれば、搬送ローラ対が非圧接状態になると互いが離間して搬送ローラ間に空間が形成されるので、この状態で洗浄液供給手段から洗浄液を吐出させると、該洗浄液が各搬送ローラの全周にかかって付着した現像処理液が洗い流されることになる。したがって、本発明にかかる現像処理装置は、現像処理液の付着した感光材料を圧着搬送する搬送ローラ対を全周に亘って確実に洗浄することができる。
【００１３】
【発明の実施の形態】
以下、本発明の一実施形態にかかる現像処理装置について、添付図面を参酌しつつ説明する。なお、本実施形態にかかる現像処理装置は、シート状の感光材料である感光紙に露光処理を施した後に、該感光紙に現像処理を施すように構成された写真処理装置の一部を構成している。
【００１４】
現像処理装置の説明に先立って写真処理装置について概略説明すると、該写真処理装置は、図１に示す如く、画像データに基づいて感光紙Ｐに露光処理を施す露光処理装置１と、露光処理された感光紙Ｐを現像処理する前記現像処理装置２とで構成されている。
【００１５】
前記露光処理装置１は、ロール状にされた帯状の感光紙Ｐを引き出し可能に収容するマガジン１０と、該マガジン１０から引き出された感光紙Ｐを所定長さで切断する切断装置１１と、該切断装置１１で切断された感光紙Ｐに露光処理を施す露光部１２とで構成されており、各装置間には、感光紙Ｐを下流側に搬送する第一搬送系１３が配設されている。
【００１６】
前記露光部１２は、搬送される感光紙Ｐの一方の面である乳剤面に対向するように露光ヘッド１４が配設されており、画像データを基にして露光ヘッド１４で感光紙Ｐの乳剤面に走査露光するように構成されており、露光処理された感光紙Ｐを前記現像処理装置２に向けて送り出すように構成されている。
【００１７】
次に、現像処理装置２について説明すると、該現像処理装置２は、感光紙Ｐを現像処理液Ａに浸漬させて現像する現像処理部２０と、現像処理部２０から搬送されてくる感光紙Ｐを乾燥させる乾燥処理部２１とを備えている。
【００１８】
前記現像処理部２０は、現像処理液Ａを貯留する複数の現像処理液槽２００，２００…と、前記露光処理装置１（露光部１２）から送り出されてきた感光紙Ｐを受け取り、該感光紙Ｐを各現像処理液槽２００，２００…内の現像処理液Ａに対して浸漬しつつ下流側の乾燥処理部２１に向けて搬送する第二搬送系２０１とを備えている。
【００１９】
前記複数の現像処理液槽２００，２００…には、種類の異なる現像処理液Ａ（現像液、漂白液、定着液、安定液等）が貯留されている。各現像処理液槽２００，２００…の上方には、水源（一次配管）に接続された主配管（図示しない）を分岐した複数の分岐配管（図示しない）が配設されている。該複数の分岐配管は、各現像処理液Ａを希釈する希釈液（例えば、水道水）を供給する希釈用配管と、後述する液外搬送ローラ対２０２ａ，２０２ｂ（図２参照）を洗浄するための洗浄水（水道水）を供給する洗浄用配管とに分類されている。
【００２０】
前記希釈用配管は、各現像処理液槽２００，２００…の真上に配設されており、各現像処理液槽２００，２００…に希釈液を注液（注水）できるように、希釈水を吐出する希釈水用ノズル（図示しない）が設けられている。これにより、各現像処理液槽２００，２００…内の現像処理液Ａの濃度調整を行うことができるようになっている。
【００２１】
前記洗浄用配管は、液外搬送ローラ対２０２ａ，２０２ｂの真上に設けられており、液外搬送ローラ対２０２ａ，２０２ｂ（下方）に向けて洗浄水を吐出（滴下、或いは噴霧）できるように洗浄用ノズル（図示しない）が設けられている。また、洗浄用配管には、洗浄用ノズルからの洗浄水の吐水（吐出）と止水とを切り替え可能な開閉バルブ（図示しない）が設けられている。前記開閉バルブは、電動バルブが採用されており、液外搬送ローラ対２０２ａ，２０２ｂを洗浄するときに流路が開かれ、液外搬送ローラ対２０２ａ，２０２ｂの洗浄を行わないとき（現像処理を行うとき）に、流路が閉られるように設定されている。
【００２２】
すなわち、本実施形態において、主配管、洗浄用配管、洗浄用ノズル、及び開閉バルブによって、液外搬送ローラ対２０２ａ，２０２ｂに向けて洗浄水（洗浄液）を吐出させる洗浄液供給手段が構成されている。
【００２３】
前記第二搬送系２０１は、各現像処理液槽２００，２００…内に内装されて各現像処理液槽２００，２００…内の現像処理液Ａに対して感光紙Ｐを浸漬して引き上げるように搬送する複数の液内搬送系２０３と、該液内搬送系２０３同士を現像処理液Ａ外で接続し、該液内搬送系２０３とともに現像処理部２０内の搬送経路を形成する複数の液外搬送系２０４とで構成されている。
【００２４】
前記液内搬送系２０３は、感光紙Ｐを圧着搬送する複数の搬送ローラ対（以下、液内搬送系２０３を構成する搬送ローラ対を液内搬送ローラ対という（図示しない））と、該液内搬送ローラ対で搬送される感光紙Ｐを案内する液内案内体（図示しない）とで構成されており、複数の液内搬送ローラ対、及び液内案内体は、Ｕ字の搬送経路を形成するように配設されている。
【００２５】
前記液外搬送系２０４は、図２に示す如く、現像処理液槽２００内の現像処理液Ａから前記液内搬送系２０３（液内搬送ローラ対）によって液外に向けて搬送されてくる感光紙Ｐを受け取って、該感光紙Ｐを下流側（下流側に隣接された現像処理液槽２００、又は乾燥処理部２１）に向けて圧着搬送する搬送ローラ対２０２ａ，２０２ｂ（以下、該液外搬送系２０４を構成する搬送ローラ対２０２ａ，２０２ｂを液外搬送ローラ対という）と、液外搬送ローラ対２０２ａ，２０２ｂによって搬送される感光紙Ｐを案内する液外案内体２０２ｃとで構成されている。
【００２６】
該液外搬送ローラ対（一対の液外搬送ローラ２０２ａ，２０２ｂ）は、外周面が非吸水性で且つ弾性を有する樹脂材料（例えば、ゴム等）により構成されている。前記液外搬送ローラ対２０２ａ，２０２ｂのうち、一方の液外搬送ローラ２０２ａは、駆動源（図示しない）からの駆動を受けて回転するように構成され、他方の液外搬送ローラ２０２ｂは、回転自在に構成されている。これにより、他方の液外搬送ローラ２０２ｂは、圧接状態で一方の液外搬送ローラ２０２ａに従動回転するようになっている。
【００２７】
各液外搬送ローラ対２０２ａ，２０２ｂは、各液外搬送ローラ２０２ａ，２０２ｂ同士が互いに接離可能に設けられており、液外搬送ローラ２０２ａ，２０２ｂ同士が圧接する圧接状態と、互いが離間した非圧接状態とに切り替え可能に構成されている。
【００２８】
具体的には、他方の搬送ローラ２０２ｂは、一方の液外搬送ローラ２０２ａに対して接離方向に移動可能に設けられており、バネやダンパー等の付勢手段（図示しない）によって一方の液外搬送ローラ２０２ａ側に付勢されている。これにより、現像処理時（感光紙Ｐを搬送する際）に、一方の液外搬送ローラ２０２ａとともに感光紙Ｐを圧着するようになっており、液外搬送ローラ２０２ａ，２０２ｂ間に感光紙Ｐが介在していないときに、液外搬送ローラ２０２ａ，２０２ｂ同士が圧接するようになっている。
【００２９】
また、現像処理装置２には、液外搬送ローラ対２０２ａ，２０２ｂを洗浄する際に（液外搬送ローラ２０２ａ，２０２ｂ間に感光紙Ｐが介在していない状態で）、他方の液外搬送ローラ２０２ｂを一方の液外搬送ローラ２０２ａから離間させて非圧接状態にする（圧接を解除する）圧接解除手段２０５が設けられている。
【００３０】
前記圧接解除手段２０５は、液外搬送ローラ２０２ａ，２０２ｂを軸支するフレーム（図示しない）に枢着された棒状のレバー２０６と、該レバー２０６を回転させるべく伸縮するピストンシリンダ２０７とを備えている。
【００３１】
前記レバー２０６は、一端部が他方の液外搬送ローラ２０２ｂ、或いは該液外搬送ローラ２０２ｂの回転軸２０８ｂに当接できるように、液外搬送ローラ対２０２ａ，２０２ｂの回転軸２０８ａ，２０８ｂ間に配設され、中間部が前記フレームに枢着されるとともに、他端部が前記ピストンシリンダ２０７のピストンロッド２０７ａに枢着されている。なお、該ピストンシリンダ２０７のシリンダ２０７ｂ（ロッド２０７ａが軸心方向に進退可能に内装された筒状のシリンダ）は、前記フレームに枢着されている。
【００３２】
これにより、ピストンシリンダ２０７を伸長状態にすると、レバー２０６が回転して該レバー２０６の一端部が他方の液外搬送ローラ２０２ｂ、或いは回転軸２０８ｂに当接した後に押圧し、該押圧力によって該他方の液外搬送ローラ２０２ｂを一方の液外搬送ローラ２０２ａから離間させるように構成されている。その一方で、ピストンシリンダ２０７を短縮状態にすると、レバー２０６が逆方向に回転して該レバー２０６の一端部が他方の液外搬送ローラ２０２ｂ、又は液外搬送ローラ２０２ｂの回転軸２０８ｂから離間し、前記付勢手段の付勢力によって他方の液外搬送ローラ２０２ｂが一方の液外搬送ローラ２０２ａに対して圧接状態となるように構成されている。
【００３３】
前記レバー２０６の長さ、該レバー２０６の枢着位置、ピストンシリンダ２０７の伸縮量等は、液外搬送ローラ対２０２ａ，２０２ｂを圧接状態にした際に、レバー２０６の一端部が各液外搬送ローラ２０２ａ，２０２ｂに干渉して回転を阻害することなく、各液外搬送ローラ２０２ａ，２０２ｂの回転軸２０８ａ，２０８ｂ間に位置するように決められている。
【００３４】
上記構成の液外搬送ローラ対２０２ａ，２０２ｂは、搬送経路における各現像処理液槽２００，２００…間に二組ずつ配設されており、該二組の液外搬送ローラ対２０２ａ，２０２ｂのうちの一方の液外搬送ローラ対２０２ａ，２０２ｂは、上流側の現像処理液槽２００から引き上げられた感光紙Ｐを受け取って下流側に搬送し、他方の液外搬送ローラ対２０２ａ，２０２ｂは、前記一方の液外搬送ローラ対２０２ａ，２０２ｂによって搬送されくる感光紙Ｐを受け取って、下流側に隣設された現像処理液槽２００内の液内搬送系２０３に渡すように配設されている。該二組の液外搬送ローラ対２０２ａ，２０２ｂ、及び圧接解除手段２０５のそれぞれは、各現像処理液槽２００，２００…の境界を基準に対称に構成されている。
【００３５】
さらに、前記液外搬送ローラ対２０２ａ，２０２ｂ、及び圧接解除手段２０５は、最下流の現像処理液槽２００と乾燥処理部２１との間にも一組配設されており、各現像処理液槽２００，２００…間に配設された二組の液外搬送ローラ対２０２ａ，２０２ｂ、及び圧接解除手段２０５のうちの上流側の液外搬送ローラ対２０２ａ，２０２ｂ、及び圧接解除手段２０５と同一の構成にされている。
【００３６】
前記液外案内体２０２ｃは、各現像処理液槽２００，２００…間に配設された二組の液外搬送ローラ対２０２ａ，２０２ｂ間、及び最下流の現像処理液槽２００と乾燥処理部２１との間に配設された液外搬送ローラ対２０２ａ，２０２ｂの下流側に配設されている。
【００３７】
各現像処理液槽２００，２００…間の二組の液外搬送ローラ対２０２ａ，２０２ｂ間に配設された液外案内体２０２ｃは、感光紙Ｐを案内する逆Ｕ字状の案内面を有し、該案内面に感光紙Ｐが摺接させることで、上流側の液外搬送ローラ対２０２ａ，２０２ｂから送り出された感光紙Ｐを下流側の液外搬送ローラ対２０２ａ，２０２ｂに向けて案内するように構成されている。
【００３８】
これにより、各現像処理液槽２００，２００…間の液外搬送ローラ対２０２ａ，２０２ｂ、及び液外案内体２０２ｃは、前記液内搬送系２０３のＵ字状の搬送経路に接続された逆Ｕ字状の搬送経路を形成し、前記液内搬送系２０３、及び液外搬送系２０４は、各現像処理液槽２００，２００…内の現像処理液Ａに対する感光紙Ｐの浸漬、引き上げを繰り返して乾燥処理部２１に向けて送り出す連続したＳ字状の搬送経路を形成している。
【００３９】
なお、最下流の現像処理液槽２００と乾燥処理部２１との間の液外搬送ローラ対２０２ａ，２０２ｂに対して下流側に配設された液外案内体（図示しない）は、最下流の現像処理液槽２００から引き上げられた感光紙Ｐを乾燥処理部２１に案内すべく、凹状の略四分の一円弧面で構成された案内面を備えており、最下流の現像処理液槽２００から引き上げられて搬送ローラ対２０２ａ，２０２ｂによって搬送される感光紙Ｐを水平方向、或いは引き上げ方向に対して交差方向に案内して乾燥処理部２１に向けて送り出せるように構成されている。
【００４０】
前記乾燥処理部２１は、現像処理部２（最下流の現像処理液槽２００）から搬送されてくる感光紙Ｐを受け取って、更に下流側に搬送する第三搬送系２１０と、該第三搬送系２１０によって搬送されている感光紙Ｐに熱風を吹き付けて該感光紙Ｐを乾燥させる乾燥装置（図示しない）とで構成されている（図１参照）。
【００４１】
本実施形態にかかる写真処理装置（現像処理装置２）は、以上構成からなり、各液外搬送ローラ対２０２ａ，２０２ｂを洗浄するには、まず、液外搬送ローラ対２０２ａ，２０２ｂ間に感光紙Ｐが介在しないようにしておく。そして、図３に示す如く、前記ピストンシリンダ２０７を伸長状態にして前記レバー２０６を介して他方の液外搬送ローラ２０２ｂを一方の液外搬送ローラ２０２ａから離間させる。そうすると、液外搬送ローラ２０２ａ，２０２間に空間（隙間）が形成され、液外搬送ローラ対２０２ａ，２０２ｂが非圧接状態になる。
【００４２】
そして、この状態で洗浄液吐出手段から洗浄水Ｗを吐出させる、すなわち、開閉バルブが開かれて前記洗浄用ノズルから洗浄水Ｗが吐水されると、液外搬送ローラ２０２ａ，２０２ｂ間に空間が形成されているので、洗浄水Ｗが各液外搬送ローラ２０２ａ，２０２ｂの全周にかかり、付着していた現像処理液Ａが洗い流されることになる。
【００４３】
なお、本実施形態にかかる前記ピストンシリンダ２０７は、洗浄用ノズルから洗浄水Ｗを吐出させる間、所定回数伸縮するように構成されており、これによって、液外搬送ローラ対２０２ａ，２０２ｂは、洗浄中に断続的に圧接状態と、非圧接状態とに切り替わるようになっている。
【００４４】
このように液外搬送ローラ対２０２ａ，２０２ｂを圧接状態と非圧接状態とに断続的に切り替えることで、液外搬送ローラ対２０２ａ，２０２ｂが圧接状態となるときに、互いに圧接する部分にタタキ作用が生じるとともに、他の部分に振動作用が生じて外周面に付着した現像処理液を該外周面から浮かせることができる。その一方で、液外搬送ローラ対２０２ａ，２０２ｂが非圧接状態になったときに、液外搬送ローラ２０２ａ，２０２ｂの全周に亘って洗浄水Ｗが流れて外周面から浮いた現像処理液を洗い流すことができる。これにより、通常洗浄することが困難な圧接部分、及び他の部分を確実、且つ効率的に洗浄することができるようになっている。
【００４５】
以上のように、上記写真処理装置（現像処理装置２）によれば、液外搬送ローラ対２０２ａ，２０２ｂが相対的に接離可能に構成されて、圧接状態と非圧接状態とに切り替えることができ、しかも、洗浄用ノズルから洗浄水Ｗを吐出させる際に、液外搬送ローラ２０２ａ，２０２ｂ間に洗浄水Ｗが流れる空間が形成されるように、液外搬送ローラ対２０２ａ，２０２ｂを非圧接状態にするように構成されているので、各液外搬送ローラ２０２ａ，２０２ｂを全周に亘って円滑に洗浄することができる。
【００４６】
尚、本発明の現像処理装置は、上記実施形態に限定されるものではなく、本発明の要旨を逸脱しない範囲内において種々変更を加え得ることは勿論である。
【００４７】
すなわち、上記実施形態において、現像処理装置２を露光処理装置１に連設して写真処理装置の一部としたが、これに限定されるものではなく、現像処理装置２単体であっても勿論よい。
【００４８】
また、上記実施形態において、感光紙Ｐを現像処理するように構成したが、本発明にかかる現像処理装置２は、フィルム等のシート状の感光材料を現像処理するものであっても勿論よい。
【００４９】
上記実施形態において、液外搬送ローラ対２０２ａ，２０２ｂを互いに離間させる手段として、ピストンシリンダ２０７の伸縮によって回転するレバー２０６で、他方の液外搬送ローラ２０２ｂ、或いは回転軸２０８ｂを押圧し、液外搬送ローラ対２０２ａ，２０２ｂを互いに離間させるようにしたが、これに限定されるものではなく、例えば、回転駆動する変心カムにより、他方の液外搬送ローラ２０２ｂ、或いは回転軸２０８ｂを押圧し、液外搬送ローラ対２０２ａ，２０２ｂを互いに離間させるようにしてもよい。
【００５０】
上記実施形態において、一方の液外搬送ローラ２０２ａに対して他方の液外搬送ローラ２０２ｂを離間させるように構成したが、これに限定されるものではなく、例えば、一方の液外搬送ローラ２０２ａを他方の液外搬送ローラ２０２ｂから離間させるように構成したり、両方の液外搬送ローラが移動して互いに離間するように構成してもよい。つまり、液外搬送ローラ対２０２ａ，２０２ｂを非圧接状態にするに際し、液外搬送ローラ対２０２ａ，２０２ｂが相対的に離間でき、液外搬送ローラ２０２ａ，２０２ｂ間に洗浄水Ｗが流れる隙間、或いは空間を形成することができればよい。
【００５１】
上記実施形態において、液外搬送ローラ対２０２ａ，２０２ｂを非圧接状態にしてから洗浄用ノズルから洗浄水Ｗを吐水させるように構成したが、これに限定されるものではなく、例えば、洗浄用ノズルから洗浄水Ｗを吐水させてから液外搬送ローラ対２０２ａ，２０２ｂを非圧接状態にするように構成してもよい。
【００５２】
また、上記実施形態において、洗浄用ノズルから洗浄水Ｗを吐出させている間、液外搬送ローラ対２０２ａ，２０２ｂを圧接状態と非圧接状態とに断続的に切り替えるようにしたが、これに限定されるものではなく、例えば、洗浄水Ｗが掛けられるときに、液外搬送ローラ２０２ａ，２０２ｂ間に洗浄水Ｗが流れるように互いに離間させておくようにしてもよい。このようにしても、各液外搬送ローラ２０２ａ，２０２ｂの全周で洗浄水Ｗが流れるので、液外搬送ローラ２０２ａ，２０２ｂの全周に付着した現像処理液を洗い流すことができる。
【００５３】
上記実施形態において、希釈用ノズルと洗浄用ノズルとを別個に設けたが、これに限定されるものではない。すなわち、液外搬送ローラ対２０２ａ，２０２ｂの洗浄に用いた洗浄水Ｗを現像処理液Ａの希釈用水として再利用するのであれば、洗浄用ノズルのみを設け、液外搬送ローラ対２０２ａ，２０２ｂにかかった洗浄水Ｗが各現像処理液槽２００，２００…に流れるように構成すればよい。
【００５４】
上記実施形態において、各液外搬送ローラ２０２ａ，２０２ｂの外周面を非吸水性の樹脂で構成したが、これに限定されるものではなく、例えば、液外搬送ローラ２０２ａ，２０２ｂの外周面を吸水性の材料（例えば、不織布等）で構成し、感光材料を圧着搬送するに際して感光材料に付着した現像処理液Ａを吸い取るようにして、該液外搬送ローラ対２０２ａ，２０２ｂをスクイズローラ対として機能させるようにしてもよい。
【００５５】
上記実施形態において、液外搬送ローラ対２０２ａ，２０２ｂに向けて洗浄水Ｗを吐出させる洗浄液供給手段を、水源に接続された主配管、洗浄用配管、洗浄用ノズル、及び開閉バルブで構成し、水源からの水圧を利用して洗浄水（水道水）を洗浄用ノズルから吐出させるようにしたが、これに限定されるものではなく、洗浄液供給手段は、例えば、洗浄液を貯留する貯液槽と、貯液槽から洗浄液を吸い上げて送り出すポンプと、該ポンプに接続された洗浄用配管と、該洗浄用配管に設けられた洗浄用ノズルとで構成し、貯液槽に貯留した洗浄液を洗浄用ノズルから搬送ローラ対２０２ａ，２０２ｂに向けて吐出させるようにしてもよい。
【００５６】
【発明の効果】
以上のように、本発明にかかる現像処理装置によれば、現像処理液に浸漬して引き上げたシート状の感光材料を圧着搬送する搬送ローラ対を備えるとともに、該搬送ローラ対を洗浄すべく、搬送ローラ対に向けて洗浄液を吐出する洗浄液供給手段を備えた現像処理装置であって、前記搬送ローラ対は、互いに圧接した圧接状態と、互いに離間した非圧接状態とに切り替え可能に構成され、前記洗浄液供給手段は、少なくとも搬送ローラ対が前記非圧接状態であるときに、洗浄液を吐出させるように構成されているので、現像処理液の付着した感光材料を圧着搬送する搬送ローラ対を全周に亘って確実に洗浄することができるという優れた効果を奏し得る。
【図面の簡単な説明】
【図１】本発明の一実施形態にかかる写真処理装置の全体概略図を示す。
【図２】同実施形態にかかる液外搬送系の概略全体図を示す。
【図３】同実施形態にかかる液外搬送系の搬送ローラ対、及び圧接解除手段の概略図であって、搬送ローラ対を非圧接状態にして洗浄水をかけた状態を示す。
【符号の説明】
１…露光処理装置、２…現像処理装置、１０…マガジン、１１…切断装置、１２…露光部、１３…第一搬送系、１４…露光ヘッド、２０…現像処理部、２１…乾燥処理部、２００…現像処理液槽、２０１…第二搬送系、２０２ａ，２０２ｂ…液外搬送ローラ（搬送ローラ）、２０２ｃ…液外案内体、２０３…液内搬送系、２０４…液外搬送系、２０５…圧接解除手段、２０６…レバー、２０７…シリンダ、２０７ａ…ロッド、２０７ｂ…本体、２０８ａ，２０８ｂ…回転軸、２１０…第三搬送系、Ａ…現像処理液、Ｐ…感光紙
【図１】
2005031318.tif 000003
【図２】
2005031318.tif 000004
【図３】
2005031318.tif 000005